(57)【要約】【課題】商品に関するあらゆる情報を簡易な操作で登録でき、かつ、閲覧できるサーバ及び方法を提供する。【解決手段】サーバ２は、タグ４に含まれるタグＵＲＬが予め記憶されるＵＲＬ記憶部１１と、端末３からタグＵＲＬを受信するＵＲＬ受信部１２と、この受信に応じて、端末３に対し、商品関連情報の登録要求又は閲覧要求を受け付けるメニュー画面を送信するメニュー画面送信部１３と、端末３から商品関連情報の登録要求を受信する登録要求受信部１４と、この受信に応じて、当該登録要求された商品関連情報をタグＵＲＬと関連付けて記憶する商品関連情報記憶部１５と、端末３から商品関連情報の閲覧要求を受信する閲覧要求受信部１６と、この受信に応じて、商品関連情報データベース２１に記憶された情報のうち、端末３から受信したタグＵＲＬに関連付けられた商品関連情報を端末３に送信する商品関連情報送信部１７とを備える。【選択図】図１
2011138367.tif 000002
【特許請求の範囲】
【請求項１】
通信ネットワークを介して端末と接続可能なサーバであって、
商品ごとに付されるタグに含まれるＵＲＬが前記商品ごとに予め記憶されるＵＲＬ記憶手段と、
前記端末から前記ＵＲＬを受信したことに応じて、その端末に対し、受信したＵＲＬに対応する商品に関連する商品関連情報の登録要求又は閲覧要求を受け付けるためのメニュー画面を送信するメニュー画面送信手段と、
前記端末から前記商品関連情報の登録要求を受信したことに応じて、当該登録要求された商品関連情報を前記ＵＲＬと関連付けて記憶する商品関連情報記憶手段と、
前記端末から前記商品関連情報の閲覧要求を受信したことに応じて、前記商品関連情報記憶手段に記憶された情報のうち、前記端末から受信したＵＲＬに関連付けられた商品関連情報を抽出し、その抽出した商品関連情報を前記端末に送信する商品関連情報送信手段とを備えるサーバ。
【請求項２】
請求項１に記載のサーバであって、
前記商品関連情報は、前記タグが付された商品を陳列している店舗に関連するネットショップのＵＲＬを含むサーバ。
【請求項３】
請求項１又は２に記載のサーバであって、
前記ＵＲＬは、二次元コードによって前記タグに表示されているサーバ。
【請求項４】
商品に関連する商品関連情報をサーバが端末を介して提供する方法であって、
前記サーバが、商品ごとに付されるタグに含まれるＵＲＬを前記商品ごとに予め記憶するＵＲＬ記憶工程と、
前記サーバが前記端末から前記ＵＲＬを受信したことに応じて、その端末に対し、受信したＵＲＬに対応する商品に関連する商品関連情報の登録要求又は閲覧要求を受け付けるためのメニュー画面を送信するメニュー画面送信工程と、
前記サーバが、前記端末から前記商品関連情報の登録要求を受信したことに応じて、当該登録要求された商品関連情報を前記ＵＲＬと関連付けて記憶する商品関連情報記憶工程と、
前記サーバが、前記端末から前記商品関連情報の閲覧要求を受信したことに応じて、前記商品関連情報記憶工程で記憶した情報のうち、前記端末から受信したＵＲＬに関連付けられた商品関連情報を抽出し、その抽出した商品関連情報を前記端末に送信する商品関連情報送信工程とを含む方法。
【請求項５】
サーバと、このサーバと通信ネットワークを介して接続された端末とを備えたシステムであって、
前記サーバは、
商品ごとに付されるタグに含まれるＵＲＬが前記商品ごとに予め記憶されるＵＲＬ記憶手段を備え、
前記端末は、
前記タグから前記ＵＲＬを読み込むＵＲＬ読込手段と、
前記ＵＲＬ読込手段によって読み込まれたＵＲＬを前記サーバに送信するＵＲＬ送信手段とを備え、
前記サーバは、
前記端末から前記ＵＲＬを受信したことに応じて、その端末に対し、受信したＵＲＬに対応する商品に関連する商品関連情報の登録要求又は閲覧要求を受け付けるためのメニュー画面を送信するメニュー画面送信手段をさらに備え、
前記端末は、
ユーザから、前記ＵＲＬ読込手段が読み込んだＵＲＬに対応する商品に関連する商品関連情報の登録要求を受け付けるためのメニュー画面の操作を受け付けたことに応じて、前記サーバに対し、前記ＵＲＬ及び商品関連情報と共に前記商品関連情報の登録要求を送信する登録要求手段と、
ユーザから、前記読み込んだＵＲＬに対応する商品に関連する商品関連情報の閲覧要求を受け付けるためのメニュー画面の操作を受け付けたことに応じて、前記サーバに対し、前記ＵＲＬ読込手段が読み込んだＵＲＬと共に前記商品関連情報の閲覧要求を送信する閲覧要求手段とをさらに備え、
前記サーバは、
前記登録要求手段による登録要求を受信したことに応じて、前記登録要求手段が送信した当該登録要求された商品関連情報を前記登録要求手段が送信したＵＲＬと関連付けて記憶する商品関連情報記憶手段と、
前記閲覧要求手段による閲覧要求を受信したことに応じて、前記商品関連情報記憶手段に記憶された情報のうち、前記端末の前記閲覧要求手段から受信したＵＲＬに関連付けられた前記商品関連情報を抽出し、その抽出した商品関連情報を前記端末に送信する商品関連情報送信手段とをさらに備え、
前記端末は、
前記商品関連情報送信手段によって送信された商品関連情報を受信したことに応じて、その受信した商品関連情報を表示する商品関連情報表示手段をさらに備えるシステム。
【発明の詳細な説明】
【技術分野】
【０００１】
本発明は、商品関連情報を提供するサーバ、方法及びシステムに関する。
【背景技術】
【０００２】
従来より、商品についてユーザから提供される情報を通信ネットワークを介して収集して、出力するシステムが知られている。このシステムによると、端末は、商品を使用したユーザのコメントを表示するので、新たに商品を購入しようとする者は、コメントを閲覧することで、商品の人気度合いや使い勝手、他の人の感想等を知ることができる（例えば、特許文献１参照）。
【先行技術文献】
【特許文献】
【０００３】
【特許文献１】特開２００９−１２３１９２号公報
【発明の概要】
【発明が解決しようとする課題】
【０００４】
しかし、このようなシステムでは、当該ユーザのコメントや、メーカーが提供する情報、商品の価格の情報等、種々の情報を知りたい場合は、その都度、検索エンジンを使って、それぞれのホームページのＵＲＬ（Ｕｎｉｆｏｒｍ  Ｒｅｓｏｕｒｃｅ  Ｌｏｃａｔｏｒ）を検索しなければならない。
【０００５】
また、ユーザが店舗で買い物をする前に、自宅で検索エンジンを使って商品に関する情報を調査する場合にも、購入を検討する商品の全てについて調査を行うことは難しい。その結果、実際に店舗を訪れて事前に調査した商品以外の商品について情報を得たいとき、ユーザは、改めて携帯端末等から検索エンジンを使ってキーワード検索等を行わなければならない。
【０００６】
本発明は、商品に関するあらゆる情報を簡易な操作で登録でき、かつ、閲覧できるサーバ及び方法を提供することを目的とする。
【課題を解決するための手段】
【０００７】
本発明では、以下のような解決手段を提供する。
【０００８】
（１）  通信ネットワークを介して端末と接続可能なサーバであって、商品ごとに付されるタグに含まれるＵＲＬが前記商品ごとに予め記憶されるＵＲＬ記憶手段と、前記端末から前記ＵＲＬを受信したことに応じて、その端末に対し、受信したＵＲＬに対応する商品に関連する商品関連情報の登録要求又は閲覧要求を受け付けるためのメニュー画面を送信するメニュー画面送信手段と、前記端末から前記商品関連情報の登録要求を受信したことに応じて、当該登録要求された商品関連情報を前記ＵＲＬに関連付けて記憶する商品関連情報記憶手段と、前記端末から前記商品関連情報の閲覧要求を受信したことに応じて、前記商品関連情報記憶手段に記憶された情報のうち、前記端末から受信したＵＲＬに関連付けられた商品関連情報を抽出し、その抽出した商品関連情報を前記端末に送信する商品関連情報送信手段とを備えるサーバ。
【０００９】
（１）に記載の発明によれば、商品のユーザ、メーカー、店舗それぞれが、タグに含まれるＵＲＬを端末から受信するだけで、サーバは、端末に対し、商品関連情報の登録要求及び閲覧要求を受け付けるためのメニュー画面を送信できる。そして、サーバは、端末から商品関連情報の登録要求を受信するだけで、商品関連情報記憶手段に商品関連情報を記憶させることができ、端末から商品関連情報の閲覧要求を受信するだけで、商品関連情報記憶手段に記憶された情報のうち、端末から受信したＵＲＬに関連付けられた商品関連情報を、閲覧要求した端末に送信できる。したがって、商品のユーザ、メーカー、店舗を問わず、誰であっても、商品に関するあらゆる情報を簡易な操作で登録でき、かつ、閲覧できるサーバを提供することができる。
【００１０】
（２）  （１）に記載のサーバであって、前記商品関連情報は、前記タグが付された商品を陳列している店舗に関連するネットショップのＵＲＬを含むサーバ。
【００１１】
（２）に記載の発明によれば、サーバは、商品を陳列している店舗に関連するネットショップにユーザを誘導できる。したがって、ユーザは、品定めをした商品をネットショップで購入できる。
【００１２】
（３）  （１）又は（２）に記載のサーバであって、前記ＵＲＬは、二次元コードによって前記タグに表示されているサーバ。
【００１３】
（３）に記載の発明によれば、近年普及している携帯電話端末は、ほとんどの機種において二次元コード読み取り機能を備えるところ、商品のユーザ、メーカー、店舗それぞれが、ほぼ全ての人が所有する極めて汎用性の高い端末を用いて二次元コードを読み込むだけで、当該端末に、商品関連情報の登録要求又は閲覧要求を受け付けるためのメニュー画面を表示できる。
【００１４】
（４）  商品に関連する商品関連情報をサーバが端末を介して提供する方法であって、前記サーバが、商品ごとに付されるタグに含まれるＵＲＬを前記商品ごとに記憶するＵＲＬ記憶工程と、前記サーバが前記端末から前記ＵＲＬを受信したことに応じて、その端末に対し、受信したＵＲＬに対応する商品に関連する商品関連情報の登録要求又は閲覧要求を受け付けるためのメニュー画面を送信するメニュー画面送信工程と、前記サーバが、前記端末から前記商品関連情報を受信したことに応じて、当該登録要求された商品関連情報を前記ＵＲＬと関連付けて記憶する商品関連情報記憶工程と、前記サーバが、前記端末から前記商品関連情報の閲覧要求を受信したことに応じて、前記商品関連情報記憶工程で記憶した情報のうち、前記端末から受信したＵＲＬに関連付けられた商品関連情報を抽出し、その抽出した商品関連情報を前記端末に送信する商品関連情報送信工程とを含む方法。
【００１５】
（５）  サーバと、このサーバと通信ネットワークを介して接続された端末とを備えたシステムであって、前記サーバは、商品ごとに付されるタグに含まれるＵＲＬが前記商品ごとに予め記憶されるＵＲＬ記憶手段を備え、前記端末は、前記タグから前記ＵＲＬを読み込むＵＲＬ読込手段と、前記ＵＲＬ読込手段によって読み込まれたＵＲＬを前記サーバに送信するＵＲＬ送信手段とを備え、前記サーバは、前記端末から前記ＵＲＬを受信したことに応じて、その端末に対し、受信したＵＲＬに対応する商品に関連する商品関連情報の登録要求又は閲覧要求を受け付けるためのメニュー画面を送信するメニュー画面送信手段をさらに備え、前記端末は、ユーザから、前記ＵＲＬ読込手段が読み込んだＵＲＬに対応する商品に関連する商品関連情報の登録要求を受け付けるためのメニュー画面の操作を受け付けたことに応じて、前記サーバに対し、前記ＵＲＬ及び商品関連情報と共に前記商品関連情報の登録要求を送信する登録要求手段と、ユーザから、前記読み込んだＵＲＬに対応する商品に関連する商品関連情報の閲覧要求を受け付けるためのメニュー画面の操作を受け付けたことに応じて、前記サーバに対し、前記ＵＲＬ読込手段が読み込んだＵＲＬと共に前記商品関連情報の閲覧要求を送信する閲覧要求手段とをさらに備え、前記サーバは、前記登録要求手段による登録要求を受信したことに応じて、前記登録要求手段が送信した当該登録要求された商品関連情報を前記登録要求手段が送信したＵＲＬと関連付けて記憶する商品関連情報記憶手段と、前記閲覧要求手段による閲覧要求を受信したことに応じて、前記商品関連情報記憶手段に記憶された情報のうち、前記端末の前記閲覧要求手段から受信したＵＲＬに関連付けられた前記商品関連情報を抽出し、その抽出した商品関連情報を前記端末に送信する商品関連情報送信手段とをさらに備え、前記端末は、前記商品関連情報送信手段によって送信された商品関連情報を受信したことに応じて、その受信した商品関連情報を表示する商品関連情報表示手段をさらに備えるシステム。
【００１６】
（４）に記載の方法によれば、当該方法を実施することにより、（１）と同様の効果が期待できる。また、（５）記載のシステムによれば、当該システムを実施することにより、（１）と同様の効果が期待できる。
【発明の効果】
【００１７】
本発明によれば、商品に関するあらゆる情報を簡易な操作で登録でき、かつ、閲覧できるサーバ、方法及びシステムを提供できる。
【図面の簡単な説明】
【００１８】
【図１】本実施形態に係るシステム１を説明するための全体構成を示す図である。
【図２】本実施形態に係る商品関連情報データベース２１を示す図である。
【図３】本実施形態に係るシステム１のタイミングチャートである。
【図４】図３に続くタイミングチャートである。
【図５】本実施形態に係るサーバ２、方法及びシステム１を実施したときの端末３の画面４０での表示例を示す図である。
【図６】図５に続く図である。
【図７】図６に続く図である。
【図８】図７に続く図である。
【図９】図８に続く図である。
【図１０】端末３が携帯電話端末である場合に、本実施形態に係るサーバ２、方法及びシステム１を実施したときの実施例を示す図である。
【図１１】本実施形態に係る商品リスト６を示す図である。
【発明を実施するための形態】
【００１９】
以下、本発明の実施形態について図を参照しながら説明する。
【００２０】
［全体構成］
図１は、本実施形態に係るシステム１及びサーバ２を説明するための全体構成を示す図である。システム１は、商品関連情報を提供するサーバ２と、このサーバ２と通信ネットワーク（図示省略）を介して接続された端末３とを備える。端末３は、通信ネットワークに接続でき、ＵＲＬを読み込み可能な読込装置を有するものであれば、種類を問うものではない。例えば、端末３は、パーソナルコンピュータだけでなく、携帯電話機やＰＤＡ等の携帯端末であってもよい。
【００２１】
まず、サーバ２の構成について説明する。サーバ２は、制御部１０と、記憶部２０とを備える。制御部１０は、サーバ２に係る各機能を統括的に制御する部分であり、商品ごとに付されるタグ４に含まれるタグＵＲＬを商品ごとに予め記憶させるＵＲＬ記憶部１１を備える。そして、記憶部２０は、ＵＲＬ記憶部１１によって指令されたタグＵＲＬを記憶する商品関連情報データベース２１を備える。これらＵＲＬ記憶部１１及び商品関連情報データベース２１は、ＵＲＬ記憶手段として機能する。
【００２２】
タグＵＲＬは、端末３の読込装置で読み込み可能なものであれば、タグ４に含める方法は問わない。例えば、バーコード、二次元コードでコード化したものを印刷等してタグ４に表示してもよいし、非接触型ＩＣチップに記憶してタグ４に組み込んでもよい。ただし、近年普及している携帯電話端末のほとんどが二次元コード読み取り機能を備える点で、二次元コードでコード化したものを印刷等してタグ４に表示することが好ましい。
【００２３】
また、タグＵＲＬは、タグ４に付された商品に関連する商品関連情報の登録要求又は閲覧要求を受け付けるためのメニュー画面を表示するためのＵＲＬであり、例えば、ｈｔｔｐ：／／ａａａ．ｃｏ．ｊｐ／Ｓ００１（ａａａは、Ｗｅｂページを管理する会社の名称、Ｓ００１は、商品ごとに設けられた識別番号）が考えられる。
【００２４】
制御部１０は、端末３から送信されたタグＵＲＬを受信するＵＲＬ受信部１２と、このＵＲＬ受信部１２がタグＵＲＬを受信したことに応じて、タグＵＲＬを送信した端末３に対し、ＵＲＬ受信部１２が受信したタグＵＲＬに対応する商品に関連する商品関連情報の登録要求又は閲覧要求を受け付けるためのメニュー画面を送信するメニュー画面送信部１３をさらに備える。ＵＲＬ受信部１２及びメニュー画面送信部１３は、メニュー画面送信手段として機能する。
【００２５】
また、制御部１０は、端末３から送信された商品関連情報の登録要求を受信する登録要求受信部１４と、当該登録要求された商品関連情報をタグＵＲＬと関連付けて商品関連情報データベース２１に記憶させる商品関連情報記憶部１５とを備える。登録要求受信部１４、商品関連情報記憶部１５及び商品関連情報データベース２１は、商品関連情報記憶手段として機能する。
【００２６】
ここで、図２を参照しながら商品関連情報データベース２１について説明する。商品関連情報データベース２１は、識別番号を示す「識別番号」フィールドと、タグＵＲＬを示す「タグＵＲＬ」フィールドと、このタグＵＲＬに関連付けられた商品を陳列する店舗に関連するネットショップのＷｅｂページにアクセスするためのＵＲＬを示す「ネットショップＵＲＬ」フィールドと、タグＵＲＬに関連付けられた商品を利用したユーザのコメントのＷｅｂページにアクセスするためのＵＲＬを示す「ユーザコメントＵＲＬ」フィールドとを有する。また、図示は省略するが、商品関連情報データベース２１は、タグＵＲＬに関連付けられた商品を製造するメーカーがその商品について広告するＷｅｂページにアクセスするためのＵＲＬを示す「メーカー広告ＵＲＬ」フィールドと、タグＵＲＬに関連付けられた商品のアンケートのＷｅｂページにアクセスするためのＵＲＬを示す「アンケートＵＲＬ」フィールドとを有する。
【００２７】
図２の例では、タグＵＲＬとして、上述の「ｈｔｔｐ：／／ａａａ．ｃｏ．ｊｐ／Ｓ００１」が記憶されている。また、タグＵＲＬに関連する商品関連情報として、ネットショップＵＲＬ、ユーザコメントＵＲＬ等が記憶されている。
【００２８】
図１に戻り、制御部１０は、さらに、端末３から送信された商品関連情報の閲覧要求を受信する閲覧要求受信部１６と、この閲覧要求を受信したことに応じて、商品関連情報データベース２１に記憶された情報のうち、端末３から受信したタグＵＲＬに関連付けられた商品関連情報（ネットショップＵＲＬ、ユーザコメントＵＲＬ等）を抽出し、その抽出した商品関連情報を端末３に送信する商品関連情報送信部１７とを備える。閲覧要求受信部１６、商品関連情報送信部１７及び商品関連情報データベース２１は、商品関連情報送信手段として機能する。
【００２９】
サーバ２の構成に続き、端末３の構成について説明する。端末３は、制御部３０を備え、制御部３０は、タグ４からタグＵＲＬを読み込むＵＲＬ読込部３１を備え、このＵＲＬ読込部３１は、ＵＲＬ読込手段として機能する。例えば、端末３が、二次元コード読み取り機能を備えた携帯電話端末である場合、ＵＲＬ読込部３１は、二次元コードを撮影する二次元コード撮影部（図示せず）と、この撮影した二次元コードを認識する二次元コード認識部（図示せず）とを有する。
【００３０】
また、制御部３０は、ＵＲＬ読込部３１によって読み込まれたタグＵＲＬをサーバ２に送信するＵＲＬ送信部３２とを備える。このＵＲＬ送信部３２は、ＵＲＬ送信手段として機能する。
【００３１】
さらに、制御部３０は、ユーザから、ＵＲＬ読込部３１が読み込んだタグＵＲＬに対応する商品に関連する商品関連情報の登録要求を受け付けるためのメニュー画面を表示するメニュー画面表示部３３と、このメニュー画面の操作を受け付けたことに応じて、サーバ２に対し、タグＵＲＬ及び商品関連情報と共に商品関連情報の登録要求を送信する登録要求部３４を備える。登録要求部３４は、登録要求手段として機能する。
【００３２】
そして、制御部３０は、ユーザから、ＵＲＬ読込部３１が読み込んだタグＵＲＬに対応する商品に関連する商品関連情報の閲覧要求を受け付けるためのメニュー画面の操作を受け付けたことに応じて、サーバ２に対し、ＵＲＬ読込部３１が読み込んだタグＵＲＬと共に商品関連情報データベース２１に記憶された商品関連情報の閲覧要求を送信する閲覧要求部３５を備える。閲覧要求部３５は、閲覧要求手段として機能する。
【００３３】
また、制御部３０は、サーバ２の商品関連情報送信部１７によって送信された商品関連情報を受信したことに応じて、その受信した商品関連情報を表示する商品関連情報表示部３６を備える。
【００３４】
［本実施形態のハードウェア及びソフトウェアの構成］
本実施形態は、コンピュータ及びその周辺装置に適用される。本実施形態における各手段（各部）は、コンピュータ及びその周辺装置が備えるハードウェア並びに当該ハードウェアを制御するソフトウェアによって構成される。
【００３５】
上記ハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭ等）、ハードディスクドライブ（ＨＤＤ）及び光ディスク（ＣＤ、ＤＶＤ等）ドライブが挙げられる。通信装置（通信部）としては、例えば、各種有線及び無線インターフェース装置が挙げられる。表示装置（表示部）としては、例えば、液晶ディスプレイ及びプラズマディスプレイ等の各種ディスプレイが挙げられる。入力装置（入力部）としては、例えば、キーボード及びポインティング・デバイス（マウス等）が挙げられる。
【００３６】
上記ソフトウェアには、上記ハードウェアを制御するコンピュータ・プログラムやデータが含まれる。コンピュータ・プログラムやデータは、記憶装置（記憶部）により記憶され、制御装置（制御部）により適宜実行、参照される。また、コンピュータ・プログラムやデータは、通信回線を介して配布することも可能であり、ＣＤ−ＲＯＭ等のコンピュータ可読媒体に記録して配布することも可能である。
【００３７】
［タイミングチャート］
図３及び図４は、本実施形態に係るシステム１のタイミングチャートである。
【００３８】
図３のステップＳ１では、ＵＲＬ記憶部１１は、商品関連情報データベース２１に対し、商品ごとに付されるタグに含まれるタグＵＲＬを商品ごとに予め記憶させる。
【００３９】
ステップＳ２では、ＵＲＬ読込部３１は、端末３の読込装置での読み込み操作があった場合に、タグ４からタグＵＲＬを読み込む。ステップＳ３では、ＵＲＬ送信部３２は、ＵＲＬ読込部３１によって読み込まれたタグＵＲＬをサーバ２に送信する。
【００４０】
ステップＳ４では、ＵＲＬ受信部１２は、ＵＲＬ送信部３２からタグＵＲＬを受信する。ステップＳ５では、メニュー画面送信部１３は、タグＵＲＬを送信した端末３に対し、ＵＲＬ受信部１２が受信したタグＵＲＬに対応する商品に関連する商品関連情報の登録要求又は閲覧要求を受け付けるためのメニュー画面を送信する。ステップＳ６では、メニュー画面表示部３３は、メニュー画面送信部１３が送信したメニュー画面を受信し、その受信したメニュー画面を表示する。
【００４１】
図４のステップＳ７では、登録要求部３４は、ユーザから、ＵＲＬ読込部３１が読み込んだタグＵＲＬに対応する商品に関連する商品関連情報の登録要求を受け付けるためのメニュー画面の操作を受け付ける。次に、ステップＳ８では、登録要求部３４は、サーバ２に対し、タグＵＲＬ及び商品関連情報と共に商品関連情報の登録要求を送信する。
【００４２】
ステップＳ９では、登録要求受信部１４は、登録要求部３４による登録要求を受信する。ステップＳ１０では、商品関連情報記憶部１５は、商品関連情報データベース２１に対し、登録要求された商品関連情報をタグＵＲＬと関連付けて記憶させる。
【００４３】
ステップＳ１１では、閲覧要求部３５は、ユーザから、前記読み込んだＵＲＬに対応する商品に関連する商品関連情報の閲覧要求を受け付けるためのメニュー画面の操作を受け付ける。次に、ステップＳ１２では、閲覧要求部３５は、サーバ２に対し、ＵＲＬ読込部３１が読み込んだタグＵＲＬと共に商品関連情報の閲覧要求を送信する。
【００４４】
ステップＳ１３では、閲覧要求受信部１６は、閲覧要求部３５による閲覧要求を受信する。ステップＳ１４では、商品関連情報送信部１７は、商品関連情報データベース２１に記憶された情報のうち、端末３の閲覧要求部３５から受信したタグＵＲＬに関連付けられた商品関連情報を抽出し、その抽出した商品関連情報を端末３に送信する。
【００４５】
ステップＳ１５では、商品関連情報表示部３６は、商品関連情報送信部１７によって送信された商品関連情報を受信したことに応じて、その受信した商品関連情報を表示する。
【００４６】
［本実施形態に係るシステム１の実施例］
図５〜図９は、端末３がパーソナルコンピュータである場合に、本実施形態に係るサーバ２、方法及びシステム１を実施したときの端末３の画面４０での表示例を示す図である。
【００４７】
図５は、読込装置によるタグＵＲＬの読み込みを開始するための画像を示す図であり、図６は、読込装置によって読み込まれたタグＵＲＬをサーバ２に送信するための画像を示す図である。図７は、端末３から送信したタグＵＲＬに対応する商品に関連する商品関連情報の登録要求又は閲覧要求を受け付けるためのメニュー画面を示す図である。図８は、ユーザが端末３から登録要求するための画像を示す図である。図９は、ユーザが端末３から閲覧要求したときに表示される画像を示す図である。
【００４８】
以下では、図５〜図９について詳細に説明する。
【００４９】
まず、図５について説明する。図５は、読込装置によるタグＵＲＬの読み込みを開始するための画像を示す図である。画面４０には、「二次元コード読み込み」という文字が表示され、この文字の下方には、「二次元コード読み込み」を開始するためのスタートボタン４１が表示されている。また、画面４０には、操作の対象を指し示すためのカーソル４２が表示されている。ユーザは、端末３のマウス（図示せず）を用いてカーソル４２をスタートボタン４１にまで移動させ、当該マウスをクリックする。そうすると、端末３の読込装置は、タグ４において二次元コードによって表示されるタグＵＲＬの読み込みを開始する。
【００５０】
次に、図６について説明する。図６は、図５で示された画像において、読込装置によるタグＵＲＬの読み込みを開始したときに表示される画像である。画面４０には、「商品Ｓ００１」の文字が表示され、その下方には「ＵＲＬ：  ｈｔｔｐ：／／ａａａ．ｃｏ．ｊｐ／Ｓ００１」の文字がハイパーリンクで表示されている。端末３のユーザは、「商品Ｓ００１」の文字から、タグ４に付された商品の商品名が「商品Ｓ００１」であると把握できる。また、ユーザは、「ＵＲＬ：  ｈｔｔｐ：／／ａａａ．ｃｏ．ｊｐ／Ｓ００１」の文字がハイパーリンクで表示されていることから、カーソル４２をこの文字にまで移動させ、マウスをクリックすることで、商品Ｓ００１の商品関連情報を紹介するＷｅｂページを閲覧できると把握できる。
【００５１】
次に、図７について説明する。図７は、図６で示された画像において、ユーザがハイパーリンクをクリックしたときに表示される画像である。画面４０には、「メニュー画面」の文字が表示され、その下方には「商品関連情報の登録を要求される方はこちら→」の文字が表示されている。そして、この文字の右方には登録ボタン４３が表示されている。また、画面４０には、「商品関連情報の閲覧を要求される方はこちら→」の文字が表示されている。そして、この文字の右方には閲覧ボタン４４が表示されている。
【００５２】
ユーザは、カーソル４２を登録ボタン４３にまで移動させ、マウスをクリックすることで、商品Ｓ００１に関連する商品関連情報の商品関連情報データベース２１への登録を要求できる。また、ユーザは、カーソル４２を閲覧ボタン４４にまで移動させ、マウスをクリックすることで、すでに商品関連情報データベース２１に登録された、商品Ｓ００１に関連する商品関連情報の閲覧を要求できる。
【００５３】
次に、図８について説明する。図８は、図７で示された画像において、ユーザが登録ボタン４３をクリックしたときに表示される画像である。画面４０には、「商品Ｓ００１の登録画面」の文字が表示され、その下方には「タグＵＲＬ  ｈｔｔｐ：／／ａａａ．ｃｏ．ｊｐ／Ｓ００１．ｈｔｍ」の文字が表示されている。また、画面４０には、「ネットショップ」の文字と共に、ネットショップが管理するＷｅｂページのＵＲＬを入力するためのネットショップＵＲＬ入力領域４５が表示されている。さらに、画面４０には、「ユーザコメント  ｈｔｔｐ：／／ｃｏｍｍｅｎｔｓ．ａａａ．ｃｏ．ｊｐ／Ｓ００１．ｈｔｍ」の文字と共に、商品Ｓ００１を利用したユーザのコメントを入力するためのコメント入力領域４６が表示されている。
【００５４】
次に、図９について説明する。図９は、図７で示された画像において、ユーザが閲覧ボタン４４をクリックしたときに表示される画像である。画面４０には、「商品Ｓ００１の閲覧画面」の文字が表示され、その下方には「タグＵＲＬ  ｈｔｔｐ：／／ａａａ．ｃｏ．ｊｐ／Ｓ００１．ｈｔｍ」の文字が表示されている。また、画面４０には、「ネットショップ  ｈｔｔｐ：／／ｓｈｏｐ．ａａａ．ｃｏ．ｊｐ／Ｓ００１．ｈｔｍ」の文字がハイパーリンクで表示され、この文字の下方には、「ｈｔｔｐ：／／ｓｈｏｐ．ｂｂｂ．ｃｏ．ｊｐ／Ｓ００１．ｈｔｍ」の文字がハイパーリンクで表示されている。さらに、画面４０には、「ユーザーコメント  ｈｔｔｐ：／／ｃｏｍｅｎｔｓ．ａａａ．ｃｏ．ｊｐ／Ｓ００１．ｈｔｍ」の文字がハイパーリンクで表示され、この文字の下方には、「メーカー広告  ｈｔｔｐ：／／ｘｙｚ．ｃｏ．ｊｐ．ｐｑｒ．ｈｔｍ」の文字がハイパーリンクで表示されている。
【００５５】
この閲覧画面によると、商品関連情報データベース２１に記憶された情報のうち、ユーザがタグ４から読み込んだタグＵＲＬに関連付けられた商品関連情報が表示される。したがって、端末３のユーザであれば、商品の利用者、メーカー、店舗を問わず、誰であっても、商品に関するあらゆる情報を簡易な操作で閲覧できる。
【００５６】
本実施例によると、商品のユーザ、メーカー、店舗それぞれが、タグ４に含まれるタグＵＲＬを端末３から受信するだけで、サーバ２は、端末３に対し、商品関連情報の登録要求及び閲覧要求を受け付けるためのメニュー画面を送信できる。そして、サーバ２は、端末３から商品関連情報の登録要求を受信するだけで、商品関連情報データベース２１に商品関連情報を記憶させることができ、端末３から商品関連情報の閲覧要求を受信するだけで、商品関連情報データベース２１に記憶された情報のうち、端末３から受信したタグＵＲＬに関連付けられた商品関連情報を、閲覧要求した端末３に送信できる。したがって、商品のユーザ、メーカー、店舗を問わず、誰であっても、商品に関するあらゆる情報を簡易な操作で登録でき、かつ、閲覧できるサーバ２を提供することができる。
【００５７】
また、商品関連情報に、タグ４が付された商品を陳列している店舗に関連するネットショップのＵＲＬを含めたので、サーバは、当該ネットショップにユーザを誘導できる。したがって、ユーザは、品定めをした商品をネットショップで購入できる。
【００５８】
また、タグＵＲＬは、二次元コードによってタグに表示させている。端末３のうち、特に近年普及している携帯電話端末では、ほとんどの機種において二次元コード読み取り機能を備えるところ、商品のユーザ、メーカー、店舗それぞれが、極めて汎用性の高い端末３を用いて二次元コードを読み込むだけで、当該端末３に、商品関連情報の登録要求又は閲覧要求を受け付けるためのメニュー画面を表示できる。
【００５９】
［本実施形態に係るシステム１の他の実施例］
図１０及び図１１は、端末３が二次元コード読み取り機能を備えた携帯電話端末である場合に、本実施形態に係るサーバ２、方法及びシステム１を実施したときの実施例を示す図である。
【００６０】
図１０には、店舗の陳列棚５に複数の商品（本実施例では、商品Ｓ００１，Ｓ００２，Ｓ００３・・・）が陳列される様子が示されている。これら複数の商品Ｓ００１，Ｓ００２，Ｓ００３・・・には、タグ４が付され、このタグ４には、二次元コードでコード化したものが印刷されている。このような店舗において、端末３のユーザは、１つの商品Ｓ００１に付されたタグ４の二次元コードを撮像している。
【００６１】
このように、商品Ｓ００１の購入を検討している来店客は、商品Ｓ００１に付されたタグ４に印刷された二次元コードを当該利用者の端末３（本実施例では、携帯電話端末）で撮像して認識した商品Ｓ００１に対応するＵＲＬにより、商品関連情報の閲覧要求を受け付けるためのメニュー画面を端末３に表示させることができる。そして、来店客は、当該メニュー画面から商品Ｓ００１の商品関連情報の閲覧要求を行って端末３にユーザコメントを閲覧するための画像（ｈｔｔｐ：／／ｅｔｓｕｒａｎ．ａａａ．ｃｏ．ｊｐ／Ｓ００１．ｈｔｍ）を表示させ、さらにユーザコメントを閲覧する画像（ｈｔｔｐ：／／ｃｏｍｍｅｎｔｓ．ａａａ．ｃｏ．ｊｐ／Ｓ００１．ｈｔｍ）を表示させる。これにより、来店客は、商品Ｓ００１を購入する直前に、実際の販売店舗において、商品Ｓ００１を既に購入した利用者が入力した感想を、商品関連情報データベース２１から読み出して閲覧できる。
【００６２】
そして、商品Ｓ００１を購入後において、購入者は、商品Ｓ００１に付されたタグ４に印刷された二次元コードを当該購入者の端末３（本実施例では、携帯電話端末）で撮像して認識した商品Ｓ００１に対応するＵＲＬにより、商品関連情報の登録要求を受け付けるためのメニュー画面を当該携帯電話に表示させ、当該メニューから商品Ｓ００１の商品関連情報の登録要求を行って当該携帯端末に商品関連情報を登録するための画面（ｈｔｔｐ：／／ｔｏｕｒｏｋｕ．ａａａ．ｃｏ．ｊｐ／Ｓ００１．ｈｔｍ）を表示させる。これにより、購入者は、実際に商品Ｓ００１を利用した感想をコメント入力領域４６に入力し、その入力した感想を商品関連情報データベース２１に登録できる。
【００６３】
図１１には、商品Ｓ００１〜Ｓ０１２に付されるタグ４に印刷された二次元コードと同一の二次元コードが印刷された商品リスト６が示されている。商品Ｓ００１を陳列している店舗の運営者は、この商品リスト６を運営者の端末３（本実施例では、端末３が携帯電話端末であるものとして説明するが、これに限るものではない。）で撮像して認識した商品Ｓ００１に対応するＵＲＬにより、商品関連情報の登録要求を受け付けるためのメニュー画面を端末３に表示させる。そして、運営者は、このメニュー画面から商品Ｓ００１の商品関連情報の登録要求を行って当該携帯端末に商品関連情報を登録するための画面（ｈｔｔｐ：／／ｔｏｕｒｏｋｕ．ａａａ．ｃｏ．ｊｐ／Ｓ００１．ｈｔｍ）を表示させ、自身が管理するネットショップのＵＲＬをネットショップＵＲＬ入力領域４５に入力する。これにより、運営者は、店舗への来店客を自身が運営するネットショップに誘導できるので、店舗での品定めが完了した来店客をレジ待ち等で待たせることがない。また、来店客を他の店舗やネットショップに流出させることなく、自らの売り上げを確保できる。また、タグ４は店舗における各商品の陳列棚に設置しておいてもよい。この場合、当該商品が品切れとなった場合に、上記と同様にして、当該店舗の運営者は、当該来店客を自身が運営するネットショップに誘導できる。
【００６４】
同様にして、商品Ｓ００１のメーカーは、商品Ｓ００１について広告するＷｅｂページのＵＲＬを商品関連情報データベース２１に登録できる。また、商品Ｓ００１に関するアンケートを実施するためのＷｅｂページのＵＲＬを商品関連情報２１に登録できる。
【００６５】
このように、本実施例によれば、商品Ｓ００１に対応するタグ４を介して、商品Ｓ００１のあらゆる関係者が簡易な操作で商品関連情報を登録でき、かつ、閲覧することが可能となる。したがって、自然に各商品毎に整理された商品関連情報が商品関連情報データベース２１に集まるようになり、さらにそのことにより商品関連情報データベース２１の閲覧者が増えることになるので、商品関連情報の循環を促進できる。
【００６６】
なお、本実施形態に記載された効果は、本発明から生じる最も好適な効果を列挙したに過ぎず、本発明による効果は、本実施形態に記載されたものに限定されるものではない。
【符号の説明】
【００６７】
１  システム
２  サーバ
３  端末
１０  制御部
１１  ＵＲＬ記憶部
１２  ＵＲＬ受信部
１３  メニュー画面送信部
１４  登録要求受信部
１５  商品関連情報記憶部
１６  閲覧要求受信部
１７  商品関連情報送信部
２０  記憶部
２１  商品関連情報データベース
【図１】
2011138367.tif 000003
【図２】
2011138367.tif 000004
【図３】
2011138367.tif 000005
【図４】
2011138367.tif 000006
【図５】
2011138367.tif 000007
【図６】
2011138367.tif 000008
【図７】
2011138367.tif 000009
【図８】
2011138367.tif 000010
【図９】
2011138367.tif 000011
【図１０】
2011138367.tif 000012
【図１１】
2011138367.tif 000013